(57)【要約】【課題】部品点数を増加させることなく、水滴による端子盤の不良動作を無くし、更には剛性も向上させること。【解決手段】端子盤２４の上方及び両側に位置する垂下部２６の箇所に防滴壁としてのリブ３０を一体に形成する。このリブ３０は、略半リング状で、且つ垂下部２６の外側面に突出する突条の形状としている。端子盤２４の上方に該端子盤２４を覆う形で外側に突出したリブ３０を設けていることで、垂下部２６の上部で発生した結露が流れ落ちた場合、水滴はリブ３０の上側に沿って下方に流れ落ち、端子盤２４には水滴は付着しない。そのため、端子盤２４は結露の水滴による動作不良を無くすことができる。【選択図】図３
2008106948.tif 000002
【特許請求の範囲】
【請求項１】
空気調和機の室外機（１）の内部に電装品ユニット（５）が配設されており、この電装品ユニット（５）の外殻を構成している電装品フレーム（２０）の外側面に室内機からの電力線等を接続するための端子盤（２４）が設けられている空気調和機において、前記端子盤（２４）は、電装品フレーム（２０）の垂下部（２６）の外側面に設けられており、前記垂下部（２６）においては端子盤（２４）の上方の位置に、水滴が該端子盤（２４）に流れ落ちるのを防止するための防滴手段を設けていることを特徴とする室外機の端子盤における防滴構造。
【請求項２】
前記防滴手段は、前記電装品フレーム（２０）の垂下部（２６）に一体に形成した突条または凹条のリブ（３０）で構成していることを特徴とする請求項１に記載の室外機の端子盤における防滴構造。
【請求項３】
前記リブ（３０）は、前記端子盤（２４）を覆うように略半リング状に形成されていることを特徴とする請求項２に記載の室外機の端子盤における防滴構造。
【請求項４】
前記電装品ユニット（５）は、前記電装品フレーム（２０）の天板（２５）の下側にリアクタ（２３）を支持し、また天板（２５）のリアクタ（２３）よりもケーシング内側に他の電装品（２１）を支持し、さらに天板（２５）のリアクタ（２３）よりも外側に設けた垂下部（２６）に端子盤（２４）が取付けられていることを特徴とする請求項１〜請求項３のいずれかに記載の室外機の端子盤における防滴構造。
【発明の詳細な説明】
【技術分野】
【０００１】
本発明は、空気調和機に関するものであり、詳しくは空気調和機の室外機の端子盤における防滴構造に関するものである。
【背景技術】
【０００２】
空気調和機の室外機は、一般に室外機ケーシング内に、熱交換器、室外ファン、圧縮機、リアクタ等を配設して構成されている。また、室外機ケーシング内には、パワートランジスタやコンデンサ等の各種の電装品（電子部品）を内蔵している電装品ユニットが配置されている。この電装品ユニット内の制御回路によって、上記室外ファンや圧縮機等を駆動制御されるようになっている。
【０００３】
空気調和機の室内機と室外機との電気配線は、室外機に端子盤を配設し、この端子盤にケーブルあるいは電線を接続して行なっている。この端子盤に対して、外部から室外機のケーシング内に浸入した雨水が付着するのを防止するようにした従来例としては、例えば、下記に示す特許文献１、２がある。
【０００４】
上記特許文献１では、室外機ケーシングの側板に開口を設けて、該開口の内部より端子盤を臨ませている。また、上記開口には側板の下部に配設されているバルブ台の近辺まで形成した配線用切り欠きが設けられており、該開口を覆う端子カバーには、配線用切り欠きと、この切り欠きに配置されるユニット間配線とを覆う配線カバーが一体に形成されている。このようにしてこの特許文献１では、端子カバーと配線との隙間が配線カバーで塞がれることで、水滴等が室外機の電装室に入るのを防止している。
【０００５】
また、上記特許文献２では、室外ユニットの筐体の側面上部に開口部を設け、この開口部に取っ手挿入用開口部を設けた蓋を着脱自在に装着し、この蓋の取っ手挿入用開口部に取っ手を挿入して固定している。そして、筐体側の開口部の周囲にリブを設け、蓋を装着することで、リブを蓋の裏面を密着させ、これにより雨水はリブと蓋の密着部で止水し、開口部から室外ユニット内部へ雨水が浸入するのを防いでいる。
【０００６】
ところで、電装品ユニットに端子盤を取付けると共に、電装品ユニットに直接、あるいはその近傍にリアクタを配置した場合には、リアクタの高熱により電装品ユニットの上側のケーシング内面に結露が発生し易く、そのため、結露が発生したときに端子盤の上部側に水滴が垂れて、端子盤に付着して動作不良を起こす可能性がある。そこで、このような不具合を防止するため、特許文献３では、電装品ユニットを覆うカバーが採用されている。
【特許文献１】特許第３０４３１２５号（特開平５−５２３６５号公報）
【特許文献２】特開２００３−１２０９６１号公報
【特許文献３】特開２００４−１１６９７５号公報
【発明の開示】
【発明が解決しようとする課題】
【０００７】
しかしながら、上記内部結露に起因する端子盤への水滴の滴下を防止しようとすれば、上記特許文献１、２の考え方では不可能であるし、また、上記特許文献３のものでは、カバーや蓋などの特別の部材を使用する必要があり、コストも上昇してしまうという問題を有している。
【０００８】
この発明は上記従来の問題を解決するためになされたものであって、その目的は、部品点数を増加させることなく、水滴による端子盤の動作不良を防止し、更には剛性も向上させることの可能な室外機の端子盤における防滴構造を提供するものである。
【課題を解決するための手段】
【０００９】
そこで、本発明の請求項１に記載の室外機の端子盤における防滴構造では、空気調和機の室外機１の内部に電装品ユニット５が配設されており、この電装品ユニット５の外殻を構成している電装品フレーム２０の外側面に室内機と電力線等を接続するための端子盤２４が設けられている空気調和機において、前記端子盤２４の上方に前記電装品フレーム２０の表面に発生した水滴が該端子盤２４に流れ落ちるのを防止するための防滴手段を設けていることを特徴としている。
【００１０】
請求項２に記載の室外機の端子盤における防滴構造では、前記防滴手段は、前記電装品フレーム２０に一体に形成した突条または凹条のリブ３０で構成していることを特徴としている。
【００１１】
請求項３に記載の室外機の端子盤における防滴構造では、前記リブ３０は、前記端子盤２４を覆うように略半リング状に形成されていることを特徴としている。
【００１２】
請求項４に記載の室外機の端子盤における防滴構造では、前記電装品ユニット５は、前記電装品フレーム２０の天板２５の下側にリアクタ２３を支持し、また天板２５のリアクタ２３よりもケーシング内側に他の電装品２１を支持し、さらに天板２５のリアクタ２３よりも外側に設けた垂下部２６に端子盤２４が取付けられていることを特徴としている。
【発明の効果】
【００１３】
本発明の請求項１に記載の室外機の端子盤における防滴構造によれば、前記電装品フレーム２０の表面に発生した水滴が該端子盤２４に流れ落ちるのを防止するための防滴手段を設けているので、水滴は防滴手段により端子盤２４へ流れ落ちるのを阻止され、そのため、水滴による端子盤２４の動作不良を防止することができる。
【００１４】
請求項２に記載の室外機の端子盤における防滴構造によれば、前記防滴手段は、前記電装品フレーム２０に一体に形成した突条または凹条のリブ３０で構成しているので、別途の部材でもって防滴手段を形成する必要がなく、部品点数を増加させることない。そのため、コストの上昇を抑えることができ、また、リブ３０を突条または凹条として電装品フレーム２０に一体に形成していることで、電装品フレーム２０の剛性を向上させることができる。また、請求項３に記載の室外機の端子盤における防滴構造によれば、リブ３０は、前記端子盤２４を覆うように略半リング状に形成されていることで、単に直線状のリブとは異なり、電装品フレーム２０における上下、左右方向の剛性を一層向上させることができるし、水滴を円滑に下方へと滴下できる。
【００１５】
請求項４に記載の室外機の端子盤における防滴構造によれば、リアクタ２３を電装品フレームに取付けたことで、室外機のコンパクト化を図ることが可能な一方、結露の増加という不具合が生じるのに対して、確実な防滴効果が得られるという利点がある。
【発明を実施するための最良の形態】
【００１６】
以下、この発明の実施の形態を図面を参照して詳細に説明する。空気調和機は周知のように室内機と室外機とで構成されていて、室外機が屋外に設置されるものであり、図１には、ケーシングを除き、一部を切り欠いた状態の室外機１の斜視図を示している。
【００１７】
図１に示すように、室外機１は、基本的には、略Ｌ型の熱交換器２と、圧縮機３と、ファン４と、電装品ユニット５等で構成されている。底板６の上面には仕切板７が立設されており、この仕切板７を境にして一方を機械室１０とし、他方を通風室１１としている。機械室１０には圧縮機３や電装品ユニット５が配置され、通風室１１には熱交換器２やファン４などが配置されている。
【００１８】
図２は、一部を切り欠いた室外機１の側面図を示している。図１、及び図２に示すように、室外機１の機械室１０の側面及び背面の一部を覆う形で略Ｌ型の側板１２が設けられており、この側板１２には開口部１３が形成されている。この開口部１３の下部には室内機と冷媒配管が接続される接続部１４が位置し、また、開口部１３の上部には電装品ユニット５の一部が位置するようになっている。そして、開口部１３の開口面を樹脂カバー１５にて覆うようになっている。
【００１９】
図３は電装品ユニット５の斜視図を示しており、この電装品ユニット５は圧縮機３の上方に配置され、仕切板７とケーシング（図示せず）とで支持されている。この電装品ユニット５は、外殻を構成している電装品フレーム２０と、パワートランジスタ、コンデンサ、各種のＩＣなどの電装品２１を実装しているプリント基板２２と、高熱を発生するリアクタ２３と、室内機側からの電源線と信号線とが接続される端子盤２４等で構成されている。そして、これらのプリント基板２２、リアクタ２３、端子盤２４は電装品フレーム２０に支持固定されている。
【００２０】
具体的には、プリント基板２２は電装品フレーム２０の内側に配設され、リアクタ２３は電装品フレーム２０の天板２５の下面に配設され、さらに端子盤２４は電装品フレーム２０の天板２５の縁部より一体に折曲形成されている板状の垂下部２６の外側面に配設される。すなわち、電装品フレーム２０の天板２５の下側にリアクタ２３を支持し、また天板２５のリアクタ２３よりもケーシング内側に他の電装品２１を支持し、さらに天板２５のリアクタ２３よりもケーシング外側に設けた垂下部２６に端子盤２４が取付けられている。また、端子盤２４は側板１２の開口部１３より露出しており、上記電力線と信号線との接続が行なわれる。これらの電力線や信号線は垂下部２６の下部に設けてあるバンド２７により支持固定されるようになっている。なお、平板状の天板２５及び垂下部２６には、剛性を確保するために複数条の凹溝２８と突条２９とが形成されている。
【００２１】
ここで、上記リアクタ２３は高熱を発するために、プリント基板２２に実装している各種の電装品２１とは離れて配置しており、そのため、リアクタ２３は端子盤２４を配置している垂下部２６の内側面に近接して位置している。そして、このような配置態様を採用することで、室外機のコンパクト化を図ることができる。しかしながらその反面、リアクタ２３が垂下部２６に近接していることで、天板２５及び垂下部２６の表面に結露が発生し易く、この発生した水滴が端子盤２４に垂れ落ちて動作不良を起こすことになる。
【００２２】
そこで、本発明では図３及び図４に示すように、端子盤２４の上方及び両側に位置する垂下部２６の箇所に防滴壁としてのリブ３０を一体に形成している。このリブ３０は、略半リング状で、且つ垂下部２６の外側面に突出する突条の形状としている。また、図５は端子盤２４を配設していない状態の電装品フレーム２０の正面図を示し、図６は図５のＡ−Ａ断面図を示している。
【００２３】
このように、端子盤２４の上方に該端子盤２４を覆う形で外側に突出したリブ３０を設けていることで、垂下部２６の上部で発生した結露が流れ落ちた場合、水滴はリブ３０の上側に沿って下方に流れ落ち、端子盤２４には水滴は付着しないものである。そのため、端子盤２４は結露の水滴による動作不良を無くすことができる。また、リブ３０は垂下部２６と一体に形成していることで、部品点数を増加させることもなく、また、垂下部２６自体の剛性を向上させることができる。特に、電装品フレーム２０を薄い板金で構成している場合には、電装品フレーム２０の補強を兼ねることができる。
【００２４】
また、リブ３０を、端子盤２４を覆うように略半リング状に形成しているので、単に直線状のリブとは異なり、電装品フレーム２０の垂下部２６における上下、左右方向の剛性を一層向上させることができる。また、水滴も円滑に滴下することになる。
【００２５】
なお、リブ３０の形状は、図示するように略半リング状に限られるものではなく、略く字状や傾斜を有する略コ字型のもの、更には傾斜した直線状のものでも良い。また、リブ３０は垂下部２６より外側面に突出する突条としているが、内側面側に凹む凹条の溝でも良い。
【図面の簡単な説明】
【００２６】
【図１】本発明の実施の形態における一部を切り欠いた室外機の斜視図である。
【図２】本発明の実施の形態における一部を切り欠いた室外機の側面図である。
【図３】本発明の実施の形態における電装品ユニットの斜視図である。
【図４】本発明の実施の形態における電装品ユニットの正面図である。
【図５】本発明の実施の形態における端子盤などを除いた電装品ユニットの正面図である。
【図６】本発明の実施の形態における図５のＡ−Ａ断面図である。
【符号の説明】
【００２７】
１・・室外機、５・・電装品ユニット、２０・・電装品フレーム、２１・・電装品、２３・・リアクタ、２４・・端子盤、２５・・天板、２６・・垂下部、３０・・リブ
【図１】
2008106948.tif 000003
【図２】
2008106948.tif 000004
【図３】
2008106948.tif 000005
【図４】
2008106948.tif 000006
【図５】
2008106948.tif 000007
【図６】
2008106948.tif 000008